(57)【要約】【課題】  比較的小型な梱包箱内に収容可能な態様の組み立て式を実現する。【解決手段】  床面に載置されるベース部材と、前記ベース部材を介して床面上の所定の高さに支持され、干し物が掛けられる物干し部材と、棒材の複数を接続部により間に空隙を残して一体化して形成され、前記ベース部材と前記物干し部材に両端が着脱可能に連結される脚部材の複数とを有する物干し装置。また、前記接続部が、前記脚部材の両端部と中間部とに形成される。さらに、前記複数の脚部材は第１脚部材及び第２脚部材を有し、それぞれ、上下方向に延在する２本の平行な棒材を含み、上下端部が前記ベース部材と前記物干し部材に締結具により止着可能に形成される。【選択図】  図１
2020116189.tif 000002
【特許請求の範囲】
【請求項１】
床面に載置されるベース部材と、
前記ベース部材を介して床面上の所定の高さに支持され、干し物が掛けられる物干し部材と、
棒材の複数を接続部により間に空隙を残して一体化して形成され、前記ベース部材と前記物干し部材に両端が着脱可能に連結される脚部材の複数とを有する物干し装置。
【請求項２】
前記接続部が、前記脚部材の両端部と中間部とに形成される請求項１に記載の物干し装置。
【請求項３】
前記複数の脚部材は第１脚部材及び第２脚部材を有し、それぞれ、上下方向に延在する２本の平行な棒材を含み、上下端部が前記ベース部材と前記物干し部材に締結具により止着可能に形成される請求項１または２に記載の物干し装置。
【請求項４】
上下方向で前記ベース部材と前記物干し部材の間にかつ床面に平行に延在し、一端が前記第１脚部材に嵌合され、他端が前記第２脚部材に嵌合される中間連結部材を更に含む、請求項３に記載の物干し装置。
【請求項５】
前記第１脚部材及び前記第２脚部材は、同一の構成であり、前記ベース部材との固定部と前記物干し部材との固定部とは上下非対称である、請求項３〜４のうちのいずれか１項に記載の物干し装置。
【発明の詳細な説明】
【技術分野】
【０００１】
本開示は、干し物等を掛ける物干し装置に関する。
【背景技術】
【０００２】
自立する土台と、この土台の上端部に設けられた略水平方向に保持自在で、水平方向から鉛直方向に折り畳み自在の揺動部材とを備え、この揺動部材に干し物等を掛ける複数の棒状部が形成されている物干し装置が知られている（特許文献１参照）。
【先行技術文献】
【特許文献】
【０００３】
【特許文献１】特開２００４−１３５８０５号公報
【発明の概要】
【発明が解決しようとする課題】
【０００４】
しかしながら、上記のような従来の物干し装置は、比較的小型な梱包箱内に収容可能な態様の組み立て式を実現することが難しい。
【０００５】
そこで、１つの側面では、本発明は、比較的小型な梱包箱内に収容可能な態様の組み立て式を実現することを目的とする。
【課題を解決するための手段】
【０００６】
第１の側面では、床面に載置されるベース部材と、前記ベース部材を介して床面上の所定の高さに支持され、干し物が掛けられる物干し部材と、棒材の複数を接続部により間に空隙を残して一体化して形成され、前記ベース部材と前記物干し部材に両端が着脱可能に連結される脚部材の複数とを有する物干し装置が提供される。
【０００７】
これによれば、比較的小型な梱包箱内に収容可能な態様の組み立て式を実現する。
【０００８】
第２の側面では、前記接続部が、前記脚部材の両端部と中間部とに形成される請求項１に記載の物干し装置が提供される。
【０００９】
これによれば、また、比較的小型な梱包箱内に収容可能な態様の組み立て式を実現できる。この結果、購買者の持ち帰りや、運送等の効率が向上する。
【００１０】
第３の側面では、前記複数の脚部材は第１脚部材及び第２脚部材を有し、それぞれ、上下方向に延在する２本の平行な棒材を含み、上下端部が前記ベース部材と前記物干し部材に締結具により止着可能に形成される、請求項１または２に記載の物干し装置が提供される。
【００１１】
これによれば、強度が増すとともに風通し等が良く干し物が乾き易い。
【００１２】
第４の側面では、上下方向で前記ベース部材と前記物干し部材の間にかつ床面に平行に延在し、一端が前記第１脚部材に嵌合され、他端が前記第２脚部材に嵌合される中間連結部材を更に含む、請求項３に記載の物干し装置が提供される。
【００１３】
これによれば、物干し装置は、中間連結部材により強度的に頑丈になるとともに、この中間連結部材に干し物等を掛けることができる。
【００１４】
第５の側面では、前記第１脚部材及び前記第２脚部材は、同一の構成であり、前記ベース部材との固定部と前記物干し部材との固定部とは上下非対称である、請求項３〜４のうちのいずれか１項に記載の物干し装置が提供される。
【００１５】
これによれば、第１連結部材と第２連結部材は同一構造であるので製造費の削減になる。第１連結部材の固定部と第２連結部材の固定部はそれぞれ上下非対称であるので間違えて組み立てることを防止できる。
【発明の効果】
【００１６】
１つの側面では、本発明によれば、比較的小型な梱包箱内に収容可能な態様の組み立て式を実現できる。
【図面の簡単な説明】
【００１７】
【図１】物干し装置の概略を示す斜視図である。
【図２】（ａ）は物干し装置の正面図である。（ｂ）は物干し装置の左側面図である。（ｃ）は物干し装置の右側面図である。（ｄ）は物干し装置の背面図である。（ｅ）は物干し装置の平面図である。（ｆ）は物干し装置の底面図である。
【図３】物干し装置の分解斜視図である。
【図４】図３の枠ＥＲ１の拡大図である。
【図５】図３の枠ＥＲ２の拡大図である。
【図６】図３の枠ＥＲ３の拡大図である。
【図７】図３の枠ＥＲ４の拡大図である。
【図８】図３の枠ＥＲ５の拡大図である。
【図９】図３の枠ＥＲ６の拡大図である。
【図１０】物干し装置の収納箱本体への収納を説明する説明図である。
【発明を実施するための形態】
【００１８】
以下、添付図面を参照しながら実施例について詳細に説明する。なお、添付図面では、見易さのために、複数存在する同一属性の部位には、一部のみしか参照符号が付されていない場合がある。また、本例では請求項に記載の文言を解りやすくするために発明を実施するための形態と異なる文言を使用する。以下、括弧内も文言は請求項の文言であり発明を実施するための形態と請求項との文言の整合性を図っている。
【００１９】
本例で上下方向というときは、図１、図３の矢印ＡＲ１の方向をいう。また、上方向というときは、床面Ｆより離れる方向をいう。下方向というときは床面Ｆに近づく方向をいう。
【００２０】
床面は地面に対して略平行な面である。床面は、物干し装置１の接地面となる。なお、床面には、絨毯等が敷かれてもよい。
【００２１】
第１方向というときは図１、図３に示す床面Ｆに平行な第１枠部材３、第２枠部材５の長手方向である矢印ＡＲ２の方向をいう。第２方向というときは図１、図３に示す第１方向に垂直に交わる矢印ＡＲ３の方向をいう。
【００２２】
また、上面視というときは、物干し装置１を上方向から視たものをいう。
【００２３】
本例で物干し装置１とは干し物を掛けて置くものをいう。干し物とは、乾かすために掛けて置く物のみではなく、ただ掛けて置くだけの物等も含む。
【００２４】
図１（必要に応じて図４〜図９を参照）に示すように、床面Ｆに、組み立てられて置かれた物干し装置１は、床面Ｆに平行に延在する第１枠部材３（ベース部材）を備える。
【００２５】
第１枠部材３は、長手方向である矢印ＡＲ２方向に延在する枠状部位３Ａとこの枠状部位３Ａと平行な枠状部位３Ｂと、短手方向である矢印ＡＲ３方向に延在する枠状部位３Ｃとこの枠状部位３Ｃと平行な枠状部位３Ｄを有している。これらの部位により例えば上面視で矩形が形成されている。
【００２６】
第１枠部材３は、本例では例えば上面視で長方形に形成されて土台となっている。なお、第１枠部材３の四隅には上面視でＲ形状が形成されている。
なお、第１枠部材３は、図示の形状等に限られず、枠状、板状など、安定性を考慮した適宜の形状を採用することができる。
【００２７】
物干し装置１は、第１枠部材３よりも上方で第１枠部材３に平行に延在する第２枠部材５（物干し部材）を備える。
【００２８】
第２枠部材５は、長手方向である矢印ＡＲ２方向に延在する枠状部位５Ａとこの枠状部位５Ａと平行な枠状部位５Ｂと、短手方向である矢印ＡＲ３方向に延在する枠状部位５Ｃとこの枠状部位５Ｃと平行な枠状部位５Ｄとを有している。第２枠部材５は、これらにより例えば矩形が形成されている。第２枠部材５は、本例では一例として、上面視で長方形に形成されている。なお、第２枠部材５の四隅には上面視でＲ形状が形成されている。
【００２９】
なお、第１枠部材３及び第２枠部材５の断面は、例えば、長方形に形成されている。
なお、第２枠部材５は、図示の形状等に限られず、枠状竿状など、干し物の掛けやすさや掛けられる量などを考慮した適宜の形状を採用することができる。
【００３０】
物干し装置１は、第１方向で第１枠部材３の一端３Ｉに下端９Ｄが締結具（ボルトやネジ等）Ｂにより取り外し可能に固定され、第１方向で第２枠部材５の一端５Ｈに上端９Ｆが締結具Ｂにより取り外し可能に固定され、上下方向に延在する第１連結部材９（第１脚部材）を備える。
【００３１】
更に、物干し装置１は、第１方向で第１枠部材３の他端３Ｍに下端１１Ｄが締結具Ｂにより取り外し可能に固定され、第１方向で第２枠部材５の他端５Ｌに上端１１Ｆが締結具Ｂにより取り外し可能に固定され、上下方向に延在する第２連結部材１１（第２脚部材）を備える。
【００３２】
第１連結部材９は、上下方向に延在する２本の平行な棒状の第１部位９Ａ、第１部位９Ｂを含む。第２連結部材１１は、上下方向に延在する２本の平行な棒状の第１部位１１Ａ、第１部位１１Ｂを含む。
【００３３】
また、第１枠部材３には４個の床面接触部材３Ｅが嵌め込まれている。なお、物干し装置１の材料は、特に限定されるものでないが金属、プラスチック、木製等でもよい。
【００３４】
これによれば、物干し装置１の第１枠部材３や第１枠部材３の上方に設けられた第２枠部材５、更に第１枠部材３と第２枠部材５とを連結する第１連結部材９、第２連結部材１１の分解及び組み立てが可能であり、比較的小型な梱包箱内に収容可能な構成を実現できる（後出の図１０参照）。この結果、購買者の持ち帰りや、１商品あたりの保管スペースの低減（在庫用のスペースの低減）、運送者の運送等の効率が向上する。また、第１連結部材９（第１部位９Ａ（棒材）、第１部位９Ｂ（棒材））、第２連結部材１１（第１部位１１Ａ（棒材）、第１部位１１Ｂ（棒材））がそれぞれ２本ずつで構成されているので強度に優れた物干し装置１を提供できる。
【００３５】
物干し装置１は、上下方向で第１枠部材３と第２枠部材５の間にかつ床面Ｆに平行に延在し、一端１３Ａが第１連結部材９に嵌合され、他端１３Ｂが第２連結部材１１に嵌合される中間連結部材１３を更に含む。
【００３６】
これによれば、物干し装置１は、中間連結部材１３により強度的に頑丈になるとともに、この中間連結部材１３に干し物等を掛けることができる。
【００３７】
第２枠部材５は、枠状部位５Ａ、枠状部位５Ｂ、枠状部位５Ｃ、枠状部位５Ｄと、第１方向で一端５Ｈから他端５Ｌまで延在する２本の平行な棒状の第２部位７Ａ、第２部位７Ｂとを含む。
【００３８】
この２本の平行な棒状の第２部位７Ａ、第２部位７Ｂは第２枠部材５より上方に突出している。
【００３９】
そして、図６に示すように、第１部位９Ａの端９Ｊは第２部位７Ａの端部７Ｇと当接する。第１部位９Ｂの端９Ｋは、第２部位７Ｂの端部７Ｈと当接する。すなわち、これらは連続する態様で位置する。
【００４０】
また、図７に示すように、第１部位１１Ａの端１１Ｊは第２部位７Ａの端部７Ｅと当接する。第１部位１１Ｂの端１１Ｋは第２部位７Ｂの端部７Ｆと当接する。すなわち、連続する態様で位置する。
【００４１】
これによれば、第１部位９Ａ、第１部位９Ｂと第２部位７Ａ、第２部位７Ｂとは連続であるとともに第１部位１１Ａ、第１部位１１Ｂと第２部位７Ａ、第２部位７Ｂとは連続の位置であるので継ぎ目を見せずに一体化している様に見えるにもかかわらず、分解可能である物干し装置１を提供できる。特に、連続している部分は、それぞれ、枠状部位５Ｃと枠状部位５Ｄの内側に位置するので通常の状態では継ぎ目を見ることができないように構成されている。
【００４２】
また、第１部位９Ａ、第１部位９Ｂの２本の間に隙間が存在するとともに第１部位１１Ａ、第１部位１１Ｂの２本の間に隙間が存在するので干し物等が乾き易い。
【００４３】
第２部位７Ａ、第２部位７Ｂは、上面視で、第１方向に垂直な第２方向で枠状部位５Ａ、枠状部位５Ｂに対してオフセットし、中間連結部材１３は、上面視で、第２方向で２本の第２部位７Ａ、第２部位７Ｂの間に位置する。
【００４４】
ここで、オフセットする方向は第２枠部材５の長方形の第２方向の内側に向かってオフセットするものである。
【００４５】
これによれば、第２部位７Ａ、第２部位７Ｂに掛けた干し物は、中間連結部材１３に掛けた干し物と干渉しないため、物干し装置１には、より多くの干し物等を掛けることができる。
【００４６】
更に、上面視で第２枠状部位５Ａと第２部位７Ａの間には第２部位７Ｃが設けられている。同じく上面視で第２枠状部位５Ｂと第２部位７Ｂとの間には第２部位７Ｄが設けられている。
【００４７】
第１連結部材９及び第２連結部材１１は、同一の構成であり、第１枠部材３との固定部９Ｈ（接続部）、固定部１１Ｈ（接続部）と第２枠部材５との固定部９Ｉ（接続部）、固定部１１Ｉ（接続部）とは上下非対称である。
【００４８】
これによれば、第１連結部材９と第２連結部材１１は同一構造であるので製造費の削減になる。一方、第１連結部材９の固定部９Ｈ、固定部９Ｉは上下非対称である。また第２連結部材１１の固定部１１Ｈ、固定部１１Ｉはそれぞれ上下非対称であるので間違えて組み立てることを防止できる。以上の物干し装置１の各部品は、金属の線材等を屈曲、溶接したり、螺子穴加工したりして得られ、これらを螺子止め等して物干し装置１が組み立てられる。
【００４９】
次に、上述の物干し装置１の全体的な効果を説明する。
【００５０】
物干し装置１は、床面Ｆに平行に延在する第１枠部材３と、第１枠部材３よりも上方で第１枠部材３に平行に延在する第２枠部材５と、水平面内の第１方向で第１枠部材３の一端３Ｉに下端９Ｄが締結具Ｂにより取り外し可能に固定され、第１方向で第２枠部材５の一端５Ｈに上端９Ｆが締結具Ｂにより取り外し可能に固定され、上下方向に延在する第１連結部材９と、第１方向で第１枠部材３の他端３Ｍに下端１１Ｄが締結具Ｂにより取り外し可能に固定され、第１方向で第２枠部材５の他端５Ｌに上端１１Ｆが締結具Ｂにより取り外し可能に固定され、上下方向に延在する第２連結部材１１とを備える。
【００５１】
そして、第１連結部材９及び第２連結部材１１は、それぞれ、上下方向に延在する２本の平行な棒状の第１部位９Ａ、９Ｂ、１１Ａ、１１Ｂを含む。
【００５２】
更に、上下方向で第１枠部材３と第２枠部材５の間にかつ床面Ｆに平行に延在し、一端１３Ａが第１連結部材９に嵌合され、他端１３Ｂが第２連結部材１１に嵌合される中間連結部材１３を更に含む。
【００５３】
また、第２枠部材５は、枠状部位５Ａ、５Ｂ、５Ｃ、５Ｄと、第１方向で一端５Ｈから他端５Ｌまで延在する２本の平行な棒状の第２部位７Ａ、７Ｂとを含み、第１部位９Ａ、９Ｂ、１１Ａ、１１Ｂと第２部位７Ａ、７Ｂとは、連続する態様で位置する。これにより、継ぎ目を見せずに一体化している様に見えるにもかかわらず、分解可能である物干し装置１を提供できる。特に、連続している部分は、それぞれ、枠状部位５Ｃ、５Ｄの内側に位置するので通常の状態では見ることが出来ないように構成されている。
【００５４】
そして、第２部位７Ａ、７Ｂは、上面視で、第１方向に垂直な第２方向で枠状部位５Ａ、５Ｂに対してオフセットし、中間連結部材１３は、上面視で、第２方向で２本の第２部位７Ａ、７Ｂの間に位置する。
【００５５】
また、第１連結部材９及び第２連結部材１１は、同一の構成であり、第１枠部材３との固定部９Ｈ、１１Ｈと第２枠部材５との固定部９Ｉ、１１Ｉとは上下非対称である。
【００５６】
上述の物干し装置１によれば、物干し装置１の第１枠部材３や第１枠部材３の上方に設けられた第２枠部材５、更に第１枠部材３と第２枠部材５とを連結する第１連結部材９、第２連結部材１１の分解及び組み立てが可能であり購買者の持ち帰りや、運送等の効率が向上するとともに強度に優れた物干し装置１を提供することができる。
【００５７】
また、物干し装置１は、中間連結部材１３により強度的に頑丈になるとともに、この中間連結部材１３に干し物を掛けることができる。
【００５８】
また、第１部位９Ａ、９Ｂと第１部位１１Ａ、１１Ｂもそれぞれ２本有り、第１部位９Ａ、９Ｂ、１１Ａ、１１Ｂと第２部位７Ａ、７Ｂが連続する位置であるので継ぎ目を見せずに一体化している様に見えるにもかかわらず、分解可能である物干し装置１を提供できる。特に、連続している部分は、それぞれ、枠状部位５Ｃと枠状部位５Ｄの内側に位置するので通常の状態では見ることが出来ないように構成されている。また、２本のそれぞれの間に隙間が存在するので干し物が乾き易い。
【００５９】
更に、第２部位７Ａ、７Ｂに掛けた干し物等は、中間連結部材１３に掛けた干し物等と干渉しないためより多くの干し物等を干すことができる。
【００６０】
そして、第１連結部材９と第２連結部材１１は同一構造であるので製造費の削減になる。第１連結部材９の固定部９Ｉ、９Ｈと第２連結部材１１の固定部１１Ｉ、１１Ｈはそれぞれ上下非対称であるので間違えて組み立てることを防止できる。
【００６１】
また、分解及び組み立てが可能であるので購買者の持ち帰りや、運送等の効率が向上する。一方、分解及び組み立てが可能な構造物は強度的に弱くなる傾向があるが、本例の物干し装置１はこのような強度的に弱くなる箇所を補強するものである。すなわち、例えば、分解及び組み立て可能な箇所は螺子と螺子穴の組み合わせで固定することが多いがこの固定方法だと使用している間にだんだんと締結が緩んでくる恐れがある。一方、溶接等で強固に固定した場合は使用頻度に関係なく強固な固定が維持される。更に、２本の第１連結部材９、２本の第２連結部材１１、中間連結部材１３である補強材は他の効果も奏するように構成されている。すなわち、第１連結部材９、第２連結部材１１は補強のためそれぞれ２本から構成されているが隙間が空くため通気が良好であり干し物等が乾き易いという相乗効果がある。また、中間連結部材１３は補強の役割を有するとともに干し物等を掛けることができるように干渉しない位置に設けられている。
【００６２】
次に、物干し装置１の大きさを以下に説明する。
【００６３】
図２に示すように、（ａ）は物干し装置１の正面図である。（ｂ）は物干し装置１の左側面図である。（ｃ）は物干し装置１の右側面図である。（ｄ）は物干し装置１の背面図である。（ｅ）は物干し装置１の平面図である。（ｆ）は物干し装置１の底面図である。
【００６４】
ここで、物干し装置１の大きさの１例を実際の寸法で示す。物干し装置１の第１枠部材３の第１方向寸法Ｌ１は、例えば６５０ｍｍである。上下方向の寸法Ｌ３は、例えば６５０ｍｍである。これにより、幅広で長い例えばバスタオル等を干すことができる。
【００６５】
また、第１連結部材９、第２連結部材１１の間の第２方向の寸法Ｌ５は、例えば３３ｍｍである。更に、上下方向の最大寸法Ｌ２は７００ｍｍであり、上下方向に第２枠部材５より突出した寸法は５０ｍｍとなるので、この突出した部分を手で持てば物干し装置１を簡単に移動できる。
【００６６】
一方、第１枠部材３の第２方向の寸法Ｌ６は、２００ｍｍであり第２枠部材５の第２方向  の寸法Ｌ４は１７０ｍｍである。このため、土台が大きく物干し装置１は安定して立っていることができる。
【００６７】
上述した寸法は例示的に示したもので、この寸法に限定されないことは勿論である。
【００６８】
また、図２（ｅ）に示すように、物干し装置１は、枠状部位５Ａ、枠状部位５Ｂ、第２部位７Ａ、第２部位７Ｂ、第２部位７Ｃ、第２部位７Ｄ及び中間連結部材１３を備える。この場合、７か所に干し物等を掛けることが可能となりうる。ただし、第２部位７Ａと第２部位７Ｂのいずれにもバスタオルを掛け、更に中央連結部材１３にバスタオルを掛けてしまうと、中央連結部材１３に掛けられたバスタオルが、第２部位７Ａ、第２部位７Ｂに掛けられたバスタオルにぶつかってしまう場合がある。この場合、物干装置１は、同時に最大６枚までバスタオルを掛けられることになる。
【００６９】
図３から図９を参照し物干し装置１の組み立て及び分解の構造について説明する。
【００７０】
図３に示すように、物干し装置１は枠ＥＲ１〜枠ＥＲ６で組み立て及び分解自在に構成されている。
【００７１】
図４は図３の枠ＥＲ１の拡大図である。図５は図３の枠ＥＲ２の拡大図である。図６は図３の枠ＥＲ３の拡大図である。図７は図３の枠ＥＲ４の拡大図である。図８は図３の枠ＥＲ５の拡大図である。図９は図３の枠ＥＲ６の拡大図である。
【００７２】
図４に示すように、枠状部位３Ｃの中央付近には、枠の内側に一端３Ｉが備えられている。この一端３Ｉは挿入部位３Ｆを有し挿入部位３Ｆは、固定部９Ｈが挿入される長方形の挿入口３Ｈを有し、更に、孔３Ｇが形成されている。一方、第１連結部材９の固定部９Ｈは第１部位９Ａと第１部位９Ｂとの間に下端９Ｄが強固に固定されている。下端９Ｄには螺子穴９Ｅが形成されている。
【００７３】
これにより、固定部９Ｈが一端３Ｉに挿入され、締結具Ｂが、孔３Ｇに挿入され、螺子穴９Ｅに螺合する。分解するときは、螺合している締結具Ｂを外し、固定部９Ｈを一端３Ｉから外す。
【００７４】
図５に示すように、枠状部位３Ｄの中央付近には、枠の内側に他端３Ｍが備えられている。この他端３Ｍは挿入部位３Ｊを有し挿入部位３Ｊは、固定部１１Ｈが挿入される長方形の挿入口３Ｌを有し、更に孔３Ｋが形成されている。一方、第２連結部材１１の固定部１１Ｈは第１部位１１Ａと第１部位１１Ｂとの間に下端１１Ｄが強固に固定されている。下端１１Ｄには螺子穴１１Ｅが形成されている。
【００７５】
これにより、固定部１１Ｈが他端３Ｍに挿入され、締結具Ｂが、孔３Ｋに挿入され、螺子穴１１Ｅに螺合する。分解するときは、螺合している締結具Ｂを外し、固定部１１Ｈを他端３Ｍから外す。
【００７６】
図６に示すように、枠状部位５Ｃの中央付近には、枠の内側に一端５Ｈが備えられている。この一端５Ｈは挿入部位５Ｅを有し、挿入部位５Ｅは、固定部９Ｉが挿入される長方形の挿入口５Ｇを有し、更に、孔５Ｆが形成されている。一方、第１連結部材９の固定部９Ｉは第１部位９Ａと第１部位９Ｂとの間に上端９Ｆが強固に固定されている。上端９Ｆには螺子穴９Ｇが形成されている。
【００７７】
これにより、固定部９Ｉが一端５Ｈに挿入され、締結具Ｂが、孔５Ｆに挿入され、螺子穴９Ｇに螺合する。分解するときは、螺合している締結具Ｂを外し、固定部９Ｉを一端５Ｈから外す。
【００７８】
ここで、第１部位９Ａの端９Ｊと上端９Ｆの端９ＬはＬ６の間隔が形成されている。また、第１部位９Ｂの端９Ｋと上端９Ｆの端９ＬはＬ７の間隔が形成されている。
【００７９】
そして、固定部９Ｉが一端５Ｈに挿入されると、第２部位７Ａの端７Ｇと第１部位９Ａの端９Ｊが連続の態様で当接し、第２部位７Ｂの端７Ｈと第１部位９Ｂの端９Ｋが連続の態様で当接する。
【００８０】
図７に示すように、枠状部位５Ｄの中央付近には、枠の内側に他端５Ｌが備えられている。この他端５Ｌは挿入部位５Ｉを有し、挿入部位５Ｉは、固定部１１Ｉが挿入される長方形の挿入口５Ｋを有し、更に、孔５Ｊが形成されている。一方、第２連結部材１１の固定部１１Ｉは第１部位１１Ａと第１部位１１Ｂとの間に上端１１Ｆが強固に固定されている。上端１１Ｆには螺子穴１１Ｇが形成されている。
【００８１】
これにより、固定部１１Ｉが他端５Ｌに挿入され、締結具Ｂが、孔５Ｊに挿入され、螺子穴１１Ｇに螺合する。分解するときは、螺合している締結具Ｂを外し、固定部１１Ｉを他端５Ｌから外す。
【００８２】
ここで、第１部位１１Ａの端１１Ｊと上端１１Ｆの端１１ＬはＬ８の間隔が形成されている。また、第１部位１１Ｂの端１１Ｋと上端１１Ｆの端１１ＬはＬ９の間隔が形成されている。
【００８３】
そして、固定部１１Ｉが他端５Ｌに挿入されると、第２部位７Ａの端７Ｅと第１部位１１Ａの端１１Ｊが連続の態様で当接し、第２部位７Ｂの端７Ｆと第１部位１１Ｂの端１１Ｋが連続の態様で当接する。
【００８４】
図８に示すように、物干し装置１は、上下方向で第１枠部材３と第２枠部材５の間にかつ床面Ｆに平行に延在し、一端１３Ａが第１連結部材９に嵌合され、他端１３Ｂが第２連結部材１１に嵌合される中間連結部材１３を更に含む。
【００８５】
第１連結部材９の嵌合部９Ｃは、下側が開口したＡＲ３方向に視てＵ字状断面の部材であり、内側に、下側からＬ字状の切り欠き９Ｍが形成される。中間連結部材１３の一端１３Ａは、嵌合部９Ｃ内に挿入され、丸い断面部の軸部が切り欠き９Ｍを通って切り欠き端部９Ｎ（中央側の部分）まで案内される。この位置で、固定片９Ｏ（接続部）が、嵌合部９Ｃ内に挿入され、固定片９Ｏのコの字状部分９Ｐが、中間連結部材１３の一端１３Ａと嵌合する。これにより、中間連結部材１３が保持される。すなわち、嵌合部９Ｃからの外れが防止される。なお、固定片９Ｏは、嵌合部９Ｃ内の空間よりもわずかに大きい外形を有し、嵌合部９Ｃ内に挿入される際に、嵌合部９Ｃをわずかに弾性変形させてよい。この場合、固定片９Ｏの落下を防止する機構が不要となる。
【００８６】
これにより、締結具Ｂを使用しないで固定することができる。ただし、変形例では、中間連結部材１３は、第１連結部材９に締結具を使用して固定されてもよい。
【００８７】
図９に示すように、物干し装置１は、上下方向で第１枠部材３と第２枠部材５の間にかつ床面Ｆに平行に延在し、一端１３Ａが第１連結部材９に嵌合され、他端１３Ｂが第２連結部材１１に嵌合される中間連結部材１３を更に含む。
【００８８】
第２連結部材１１の嵌合部１１Ｃは、下側が開口したＡＲ３方向に視てＵ字状断面の部材であり、内側に、下側からＬ字状の切り欠き１１Ｍが形成される。中間連結部材１３の他端１３Ｂは、嵌合部１１Ｃ内に挿入され、丸い断面部の軸部が切り欠き１１Ｍを通って切り欠き端部１１Ｎ（中央側の部分）まで案内される。この位置で、固定片１１Ｏ（接続部）が、嵌合部１１Ｃ内に挿入され、固定片１１Ｏのコの字状部分１１Ｐが、中間連結部材１３の他端１３Ｂと嵌合する。これにより、中間連結部材１３が保持される。すなわち、嵌合部１１Ｃからの外れが防止される。なお、固定片１１Ｏは、嵌合部１１Ｃ内の空間よりもわずかに大きい外形を有し、嵌合部１１Ｃ内に挿入される際に、嵌合部１１Ｃをわずかに弾性変形させてよい。この場合、固定片１１Ｏの落下を防止する機構が不要となる。
【００８９】
これにより、締結具を使用しないで固定することができる。ただし、変形例では、中間連結部材１３は、第２連結部材１１に締結具を使用して固定されてもよい。
【００９０】
図１０に示すように、直方体の梱包箱（図示せず）に分解された物干し装置１が収納されている。持ち運ぶときはこのような状態で運送する。
【００９１】
すなわち、梱包箱には、第１枠部材３と第１枠部材３の上に第２枠部材５が収納されている。また、第１連結部材９と第２連結部材１１と中間連結部材１３とが梱包箱の対角線状に斜めにされ収納されている。その他の締結具Ｂ、床面接触部材３Ｅ、固定片９Ｏ、１１Ｏ等の部品が収納されている。これにより、比較的小型な梱包箱内に収容可能な態様の組み立て式を実現できる。
【００９２】
各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【符号の説明】
【００９３】
１  物干し装置
３  第１枠部材
３Ａ  枠状部位
３Ｂ  枠状部位
３Ｃ  枠状部位
３Ｄ  枠状部位
３Ｅ  床面接触部材
５  第２枠部材
５Ａ  枠状部位
５Ｂ  枠状部位
５Ｃ  枠状部位
５Ｄ  枠状部位
７Ａ  第２部位
７Ｂ  第２部位
９  第１連結部材
９Ａ  第１部位
９Ｂ  第１部位
１１  第２連結部材
１１Ａ  第１部位
１１Ｂ  第１部位
１３  中間連結部材
Ｂ  締結具
Ｆ  床面
【図１】
2020116189.tif 000003
【図２】
2020116189.tif 000004
【図３】
2020116189.tif 000005
【図４】
2020116189.tif 000006
【図５】
2020116189.tif 000007
【図６】
2020116189.tif 000008
【図７】
2020116189.tif 000009
【図８】
2020116189.tif 000010
【図９】
2020116189.tif 000011
【図１０】
2020116189.tif 000012